(57)【特許請求の範囲】
【請求項１】
直角部を有していて間隔が変動することがあるコンクリート構造物間の遊間をシールするための部材であって、
幅方向に撓み変形して伸縮し得る可撓部とその両側に連設される平坦な定着部とから成る薄手の止水材本体と、前記定着部の下側に配置されるゴムパッキンと、前記定着部の上側に配置される金属製押止板とから成り、
前記止水材本体の前記可撓部は、前記コンクリート構造物の直角部に対応する折れ目を有していて、その折れ目を挟んで一方の側の可撓部と他方の側の可撓部とが表裏反対側に膨出しており、前記止水材本体は、基板と、それに対応する形状であってその下側に配置される保形支持板とから成り、前記保形支持板と前記基板はステンレス箔製であることを特徴とする止水部材。
【請求項２】
前記保形支持板は前記基板よりも厚手である、請求項１に記載の止水部材。
【請求項３】
前記止水材本体の可撓部は、断面が半円形状、その他任意の形状に膨出していて、横方向からの負荷を受けて撓み変形する、請求項１又は２に記載の止水部材。
【請求項４】
請求項１乃至３のいずれかに記載の止水部材を用いて施工される、壁高欄・地覆部の伸縮継ぎ手部における止水構造であって、
下から前記ゴムパッキン、前記止水材本体の定着部、前記金属製押止板の順に積層された前記止水部材の幅方向一端部が一方の側の前記壁高欄・地覆部の端縁に固定されると共に、幅方向他端部が他方の側の前記壁高欄・地覆部の端縁に固定され、前記止水材本体の可撓部の前記壁高欄・地覆部の水平部分における膨出方向と垂直部分における膨出方向とが表裏逆になっていることを特徴とする止水構造。
【発明の詳細な説明】
【技術分野】
【０００１】
本発明は、止水部材及びそれを用いた止水構造に関するものであり、より詳細には、橋梁端部の壁高欄と地覆などのような、直角部を有するコンクリート構造物における伸縮継ぎ手部の遊間をシールするための止水部材、並びに、それを用いた止水構造に関するものである。
【背景技術】
【０００２】
橋梁端部の壁高欄と地覆などのように、水平から垂直に曲がる部分のあるコンクリート構造物の伸縮継ぎ手部の漏水対策のために、従来は、その伸縮継ぎ手部の遊間にシール材を充填したり、遊間をゴム板で閉塞したりする方法が採られていた。しかし、これらの方法において用いられるシール材やゴム板は紫外線やオゾン等に弱く、特に橋梁端部のように、常時直射日光に晒される箇所に用いられる場合には劣化の進行が早まり、１０年も経てば、その止水性能を失ってしまう。
【０００３】
そこで、塩や紫外線に強く、耐候性に優れるステンレス板を採用することが考えられるが、ステンレス板は、橋梁の温度変化による伸縮に伴って遊間の間隔が変動した場合、ゴム板のように伸縮して遊間の間隔変動を吸収することができないため、遊間の間隔変動に伴ってその固定部等が押し引きされて損傷し、直ぐに止水に支障をきたす状態となってしまう。
【先行技術文献】
【特許文献】
【０００４】
【特許文献１】特開２００５−２５６２８１号公報
【特許文献２】実用新案登録第３１７２０３６号公報
【発明の概要】
【発明が解決しようとする課題】
【０００５】
上述したように、従来、橋梁端部の壁高欄と地覆などのように、水平から垂直に曲がる部分のあるコンクリート構造物の伸縮継ぎ手部の漏水対策として、その遊間にシール材を充填したり、ゴム板を定着したりする方法が採られていたが、シール材やゴム板は耐候性に欠けるために寿命が短いという問題があり、耐候性に富むステンレス板を用いる場合には、遊間の間隔変動に対応できないために漏水対策となり得ないという問題があった。
【０００６】
そこで本発明は、このような問題のない、即ち、耐候性に富んでいて継時劣化しにくく、橋梁端部の壁高欄と地覆などのように、水平から垂直に曲がる部分のあるコンクリート構造物の伸縮継ぎ手の遊間の漏水対策に用いるのに好適な止水部材、並びに、それを用いた止水構造を提供することを課題とする。
【課題を解決するための手段】
【０００７】
上記課題を解決するための請求項１に記載の発明は、直角部を有していて間隔が変動することがあるコンクリート構造物間の遊間をシールするための部材であって、
幅方向に撓み変形して伸縮し得る可撓部とその両側に連設される平坦な定着部とから成る薄手の止水材本体と、前記定着部の下側に配置されるゴムパッキンと、前記定着部の上側に配置される金属製押止板とから成り、
前記止水材本体の前記可撓部は、前記コンクリート構造物の直角部に対応する折れ目を有していて、その折れ目を挟んで一方の側の可撓部と他方の側の可撓部とが表裏反対側に膨出しており、前記止水材本体は、基板と、それに対応する形状であってその下側に配置される保形支持板とから成り、前記保形支持板と前記基板はステンレス箔製であることを特徴とする止水部材である。
【０００８】
一実施形態においては、前記保形支持板は前記基板よりも厚手である。
【０００９】
上記課題を解決するための請求項４に記載の発明は、請求項１乃至３のいずれかに記載の止水部材を用いて施工される、壁高欄・地覆部の伸縮継ぎ手部における止水構造であって、
下から前記ゴムパッキン、前記止水材本体の定着部、前記金属製押止板の順に積層された前記止水部材の幅方向一端部が一方の側の前記壁高欄・地覆部の端縁に固定されると共に、幅方向他端部が他方の側の前記壁高欄・地覆部の端縁に固定され、前記止水材本体の可撓部の前記壁高欄・地覆部の水平部分における膨出方向と垂直部分における膨出方向とが表裏逆になっていることを特徴とする止水構造である。
【発明の効果】
【００１０】
上記のとおり本発明に係る止水部材は、幅方向に撓み変形して伸縮し得る可撓部とその両側に連設される平坦な定着部とから成る薄手の止水材本体と、前記定着部の下側に配置されるゴムパッキンと、前記定着部の上側に配置される金属製押止板とから成り、前記止水材本体の可撓部は、前記コンクリート構造物の直角部に対応する折れ目を有していて、その折れ目の一方の側の可撓部と他方の側の可撓部とが表裏反対側に膨出して成るものであるため、橋梁端部の壁高欄と地覆などのように、水平から垂直に曲がる部分のあるコンクリート構造物の伸縮継ぎ手部の遊間に配設された場合、その可撓部が遊間の間隔変動に追随して撓み変形し、また、可撓部の折れ目が遊間の間隔変動に伴って前後方向に移動することで、その間隔変動を吸収することができ、また、耐候性資材が用いられることと相俟って、長期に亘りその止水性能を保持し得る効果がある。
【００１１】
また、本発明に係る止水構造は、上記効果を有する止水部材を用いるものであるため、施工箇所における遊間に間隔変動が起きても、止水材本体の可撓部が撓み変形し、また、その折れ目が移動することでその変動を吸収することができるので、間隔変動に起因して止水手段が損傷することがなく、また、耐候性資材が用いられることと相俟って、長期に亘りその止水性能を保持し得る効果がある。
【図面の簡単な説明】
【００１２】
【図１】本発明に係る止水部材の分解斜視図である。
【図２】本発明に係る止水部材の施工状態を示す斜視図である。
【図３】本発明に係る止水部材の作用を示す、図２におけるＡ−Ａ線縦断面図である。
【発明を実施するための形態】
【００１３】
本発明を実施するための形態につき、添付図面に依拠して説明する。本発明に係る止水部材１は、主に、直角部を有していて間隔が変動することがあるコンクリート構造物間の遊間をシールするための部材であって、図１に示されるように、幅方向に撓み変形して伸縮し得る可撓部３、３ａと、その両側に延設される平坦な定着部４とから成る薄手の止水材本体２と、定着部４の下側に配置されるゴムパッキン５と、定着部４の上側に被装されて、定着部４及びその下側に存するゴムパッキン５を押え止める金属製押止板６とから成る。
【００１４】
止水材本体２は、基板８と、基板８の下部（下方水平部）に対応する形状であって、基板８の裏側に合着される保形支持板９とから成る（図１参照）。保形支持板９は、基板８の下部をその裏面側から支持して補強する役目を果たすもので、基板８と同様に、可撓部１０とその両側に延設された定着部１１とから成り、可撓部１０は、基板８の可撓部３と同じ曲率で表面側に膨出するように形成される。なお、可撓部１０は、可撓部３よりも少し長めに、即ち、その奥側端部が、可撓部３と可撓部３ａの境目である折れ目７よりも少し奥に突出するように形成される。
【００１５】
例えば、基板８は０．０５ｍｍ程度の薄手のものとされ、これを支える保形支持板９は、その倍の０．１ｍｍ程度の厚さのものとされる。通例、基板８と保形支持板９には金属箔、特にステンレス箔が用いられるが、フッ素樹脂シートその他の薄手の耐候性樹脂材を用いることもできる。
【００１６】
ゴムパッキン５と押止板６は、それぞれ止水材本体２の定着部４に対応する形状及び長さに形成される。止水材本体２、ゴムパッキン５及び押止板６は、それぞれ一連に形成することができるが、コンクリート構造物に寸法誤差が生ずることが不可避であることを考慮し、それぞれ複数に分割して形成し、施工時に一連につなぎ合わせるようにすることが好ましい。
【００１７】
図示した例における止水材本体２（基板８）、ゴムパッキン５及び押止板６は、それぞれ、上方直角部と中間直線部と下方直角部とに３分割されている。上方直角部は、コンクリート構造物上端の直角部（厳密な意味での直角とは限らない。）に対応するもので、その水平部の可撓部３は表面側に膨出し、その垂直部の可撓部３ａは裏面側に膨出するように形成される。下方直角部は、コンクリート構造物の下部の直角部（同上）に対応するもので、その垂直部の可撓部３ａは裏面側に膨出し、その水平部の可撓部３は表面側に膨出するように形成される。また、中間直線部の可撓部３ａは、裏面側に膨出させる。
【００１８】
可撓部３、３ａは、横方向からの負荷を受けて撓み変形するもので、その膨出形状は、通例、図示した例のように断面半円形とされるが、それに限られる訳ではなく、例えば、三角形や四角形、その他任意の膨出形状とすることができる。
【００１９】
図２は、上記構成の止水部材１を、橋梁の壁高欄２１、２２と地覆部２１ａ、２２ａの伸縮継ぎ手部に施工した状態を示すものである。止水部材１の施工に際しては、先ず、下からゴムパッキン５、保形支持板９の定着部１１、基板８の定着部４、金属製押止板６を予めこの順に積層した止水部材１の一端部を、一方の側の壁高欄２１・地覆部２１ａの端縁に固定し、次いで、同様に積層した止水部材１の他端部を、他方の側の壁高欄２２・地覆部２２ａの端縁に固定する。なお、この場合の止水部材１の端部の遊間端縁への固定は、新設の場合は埋め込みにより行うことができ、既設部分に使用する場合は、アンカー留めなどの留め付け手段によって行うことができる。
【００２０】
かくして、可撓部３、３ａ、１０が、壁高欄２１、２２間の遊間２３、並びに、地覆部２１ａ、２２ａ間の遊間２３を閉塞し（図３参照）、その部分を水密シールして、雨水等が遊間内に漏水することを防止する。そして、その状態において、橋梁の温度変化による伸縮に伴う遊間２３の間隔変動によって幅方向に負荷を受けても、可撓部３、３ａ、１０が撓み変形して幅方向に伸縮してその変動を吸収することができ（図３参照）、止水性能に支障を来たすことはない。
【００２１】
また、下方直角部における垂直部の可撓部３ａと水平部の可撓部３との境目である折れ目７の位置は固定的ではなく、壁高欄２１（地覆部２１ａ）に対する壁高欄２２（地覆部２２ａ）の相対的変位に伴って惹き起こされる定着部４、４間の間隔の変化に追随して、前後方向に移動する。即ち、定着部４、４間の間隔が広がると、可撓部３が引っ張られることで折れ目７は前進し、定着部４、４間の間隔が狭まると、可撓部３が両側から押されることで折れ目７は後退する。このように折れ目７が前後に移動することで、遊間２３の間隔変動に対応することができる。なお、橋梁の温度変化による伸縮（遊間２３の間隔変動）は年に一度であるので、５０回の伸縮に耐えられれば、単純に５０年の耐用年数がある、と言うことができることになる。
【００２２】
この発明をある程度詳細にその最も好ましい実施形態について説明してきたが、この発明の精神と範囲に反することなしに広範に異なる実施形態を構成することができることは言うまでもない。従って、この発明は、添付請求の範囲において限定した以外は、その特定の実施形態に制約されるものではない。
【符号の説明】
【００２３】
１        止水部材
２        止水部材本体
３、３ａ、１０  可撓部
４、１１    定着部
５        ゴムパッキン
６        押止板
７        折れ目
８        基板
９        保形支持板
２１、２２    壁高欄
２１ａ、２２ａ   地覆部
２３      遊間
【図１】
0006370189.tif 000002
【図２】
0006370189.tif 000003
【図３】
0006370189.tif 000004